(57)【要約】【課題】架構を構成する周辺部材に含まれる水平部材への波形鋼板の取付け精度が向上する波形鋼板取付構造を得る。【解決手段】梁１４Ｂを構築する型枠５０内に、波形鋼板２０Ｂの接合フレーム２２Ｂが取付けられる取付プレート２８と、取付プレート２８の高さを調整するアングル２４及びウマプレート２６が配置されている。アングル２４及びウマプレート２６により、取付プレート２８の高さが調整される。そして、高さが調整された取付プレート２８に、波形鋼板２０Ｂの接合フレーム２２Ｂが取付けられる。このように、梁１４Ｂを構築する型枠５０内に設けられたアングル２４及びウマプレート２６によって、波形鋼板２０Ｂが取付けられる前に取付プレート２８の高さを変えてレベル調整ができるので、梁１４Ｂへの波形鋼板２０Ｂの取付け精度が向上する。【選択図】図２
2009108499.tif 000002
【特許請求の範囲】
【請求項１】
架構を構成する周辺部材へ波形鋼板を取付ける波形鋼板取付構造において、
前記波形鋼板の外周に接合された接合枠と、
前記周辺部材に含まれる水平部材に配置され、前記接合枠が取付けられる取付部と、
前記水平部材を構築する型枠内に設けられ、前記取付部の高さを調整する高さ調整手段と、
を有することを特徴とする波形鋼板取付構造。
【請求項２】
前記高さ調整手段が、
前記取付部を支持すると共に、板厚又は長さを選択することによって高さ調整できる支持部材であることを特徴とする請求項１に記載の波形鋼板取付構造。
【請求項３】
前記支持部材は、
板厚が選択でき、前記取付部が載る横部材と、
長さが選択でき、前記横部材に接合され、前記横部材を支持する縦部材と、
を有することを特徴とする請求項２に記載の波形鋼板取付構造。
【請求項４】
前記高さ調整手段が、
前記取付部に設けられた長ナットと、
前記水平部材を構築する型枠内に設けられ、前記長ナットにねじ込まれて前記取付部を支持するボルトと、
を有し、
前記ボルトの前記長ナットへのねじ込み量を変更して、前記取付部の高さが調整されることを特徴とする請求項１に記載の波形鋼板取付構造。
【請求項５】
架構を構成する周辺部材へ波形鋼板を取付ける波形鋼板取付構造において、
前記波形鋼板の外周に接合された接合枠と、
前記接合枠から突設されたスタッドと、
前記周辺部材に含まれる水平部材に形成され、前記スタッドが挿入される取付穴と、
前記接合枠と前記水平部材の上面との間に設けられ、前記接合枠を支持する支持面の高さを調整する高さ調整材と、
を有することを特徴とする波形鋼板取付構造。
【請求項６】
架構を構成する周辺部材へ波形鋼板を取付ける波形鋼板取付構造において、
前記波形鋼板の外周に接合された接合枠と、
前記接合枠から突設されたスタッドと、
前記周辺部材に含まれる水平部材に形成され、前記スタッドが挿入される取付穴と、
前記取付穴の底面に配置され、前記スタッドを支持するスペーサと、
を有し、
前記スペーサの厚さを変更して、前記接合枠の高さを調整することを特徴とする波形鋼板取付構造。
【発明の詳細な説明】
【技術分野】
【０００１】
本発明は、架構を構成する周辺部材に含まれる水平部材に波形鋼板を取付ける波形鋼板取付構造に関する。
【背景技術】
【０００２】
耐震壁として、ＲＣ（reinforced-concrete）付帯フレームからなる架構に、波形に加工した鋼板（波形鋼板）を取付けたものがある。波形鋼板は、波形方向（鉛直方向）には剛性が低く、アコーディオンのように伸縮して鉛直力に抵抗せず、水平方向には剛性が高く、水平せん断力に抵抗する。ここで、架構への波形鋼板の取付構造の一例として、波形鋼板の外周にフレームを形成し、このフレーム付き波形鋼板を架構の面内に嵌め入れて、フレームを架構に溶接したものがある（例えば、特許文献１参照）。
【０００３】
しかしながら、特許文献１の波形鋼板の取付構造は、フレームを直接架構に溶接するもので、波形鋼板の高さを調整する機構がなかった。このため、波形鋼板の取付け精度が低下していた。
【特許文献１】特開２００６−３７５８６号公報
【発明の開示】
【発明が解決しようとする課題】
【０００４】
本発明は、架構を構成する周辺部材に含まれる水平部材への波形鋼板の取付け精度が向上する波形鋼板取付構造を得ることを目的とする。
【課題を解決するための手段】
【０００５】
本発明の請求項１に係る波形鋼板取付構造は、架構を構成する周辺部材へ波形鋼板を取付ける波形鋼板取付構造において、前記波形鋼板の外周に接合された接合枠と、前記周辺部材に含まれる水平部材に配置され、前記接合枠が取付けられる取付部と、前記水平部材を構築する型枠内に設けられ、前記取付部の高さを調整する高さ調整手段と、を有することを特徴としている。
【０００６】
上記構成によれば、水平部材を構築する型枠内に、波形鋼板の接合枠が取付けられる取付部の高さが、高さ調整手段により調整される。高さが調整された取付部に、波形鋼板の接合枠が取付けられる。このように、水平部材を構築する型枠内に設けられた高さ調整手段によって、波形鋼板が取付けられる前に取付部の高さを変えてレベル調整ができるので、水平部材への波形鋼板の取付け精度が向上する。
【０００７】
本発明の請求項２に係る波形鋼板取付構造は、前記高さ調整手段が、前記取付部を支持すると共に、板厚又は長さを選択することによって高さ調整できる支持部材であることを特徴としている。上記構成によれば、水平部材を構築する型枠内に、取付部を支持する支持部材が設けられている。ここで、支持部材の板厚又は長さを選択することにより、取付部の高さが調整される。高さが調整された取付部に波形鋼板の接合枠が取付けられる。このように、支持部材の板厚又は長さを選択することによって、容易に取付部の高さ調整ができる。
【０００８】
本発明の請求項３に係る波形鋼板取付構造は、前記支持部材は、板厚が選択でき、前記取付部が載る横部材と、長さが選択でき、前記横部材に接合され、前記横部材を支持する縦部材と、を有することを特徴としている。上記構成によれば、横部材の板厚、又は縦部材の長さを選択することにより、取付部の高さが調整される。高さが調整された取付部に波形鋼板の接合枠が取付けられる。このように、横部材の板厚、又は縦部材の長さを選択することによって、容易に取付部の高さ調整ができる。
【０００９】
本発明の請求項４に係る波形鋼板取付構造は、前記高さ調整手段が、前記取付部に設けられた長ナットと、前記水平部材を構築する型枠内に設けられ、前記長ナットにねじ込まれて前記取付部を支持するボルトと、を有し、前記ボルトの前記長ナットへのねじ込み量を変更して、前記取付部の高さが調整されることを特徴としている。
【００１０】
上記構成によれば、ボルトの長ナットへのねじ込み量を変えることにより、取付部の高さが調整される。高さ調整された取付部に波形鋼板の接合枠が取付けられる。このように、ボルトのねじ込み量を変えることによって、容易に取付部の高さ調整ができる。
【００１１】
本発明の請求項５に係る波形鋼板取付構造は、架構を構成する周辺部材へ波形鋼板を取付ける波形鋼板取付構造において、前記波形鋼板の外周に接合された接合枠と、前記接合枠から突設されたスタッドと、前記周辺部材に含まれる水平部材に形成され、前記スタッドが挿入される取付穴と、前記接合枠と前記水平部材の上面との間に設けられ、前記接合枠を支持する支持面の高さを調整する高さ調整材と、を有することを特徴としている。
【００１２】
上記構成によれば、波形鋼板の接合枠から突設されたスタッドが、水平部材に形成された取付穴に挿入される。そして、接合枠と水平部材の上面との間に設けられた高さ調整材によって、接合枠を支持する支持面の高さが調整される。これにより、波形鋼板が取付けられる前に支持面のレベル調整ができるので、水平部材への波形鋼板の取付け精度が向上する。
【００１３】
本発明の請求項６に係る波形鋼板取付構造は、架構を構成する周辺部材へ波形鋼板を取付ける波形鋼板取付構造において、前記波形鋼板の外周に接合された接合枠と、前記接合枠から突設されたスタッドと、前記周辺部材に含まれる水平部材に形成され、前記スタッドが挿入される取付穴と、前記取付穴の底面に配置され、前記スタッドを支持するスペーサと、を有し、前記スペーサの厚さを変更して、前記接合枠の高さを調整することを特徴としている。
【００１４】
上記構成によれば、水平部材に形成された取付穴の底面にスペーサが配置され、波形鋼板の接合枠から突設されたスタッドがスペーサによって支持される。ここで、スペーサの厚さを変えることによって、波形鋼板が取付けられる前に接合枠のレベル調整ができるので、水平部材への波形鋼板の取付け精度が向上する。
【発明の効果】
【００１５】
本発明は、上記構成としたので、架構を構成する周辺部材に含まれる水平部材への波形鋼板の取付け精度が向上する。
【発明を実施するための最良の形態】
【００１６】
本発明の波形鋼板取付構造の第１実施形態を図面に基づき説明する。図１は、地盤１６上に構築された建物１０を模式的に示したものである。建物１０は、柱１２（１２Ａ、１２Ｂ）と、水平部材としての梁１４（１４Ａ、１４Ｂ、１４Ｃ）によって、架構１８（１８Ａ、１８Ｂ）が構築されている。柱１２及び梁１４は、図示しない鉄筋（主筋）等が配置され、コンクリートで形成されている。
【００１７】
なお、本発明における架構とは、実施形態に示す柱梁構面だけでなく、柱スラブ構面や、スラブ又は小梁といった単独のものを含んでいる。また、水平部材とは、大梁、小梁、スラブを含んでいる。
【００１８】
架構１８には、波形鋼板２０（２０Ａ、２０Ｂ）が設けられている。波形鋼板２０は、架構１８面内にその折り筋を水平方向に向け、且つ架構１８に作用する水平せん断力には抵抗するが、軸力及び面外方向の曲げに対する抵抗が小さい構成となっている。波形鋼板２０の外周には、断面が平板状の接合フレーム２２（２２Ａ、２２Ｂ）が、溶接により接合されている。
【００１９】
図２は、下階の波形鋼板２０Ａと上階の波形鋼板２０Ｂの間にある梁１４Ｂの断面を示している。梁１４Ｂの下端部には、波形鋼板２０Ａの接合フレーム２２Ａが、上面が略水平となるように配置されている。接合フレーム２２Ａ上には、水平方向の断面形状が略Ｌ字状のアングル２４が立設されている。アングル２４は、梁１４Ｂの長手方向に複数箇所設けられている。
【００２０】
複数のアングル２４上には、平板状のウマプレート２６が、接合フレーム２２Ａと略平行となるように架設され、アングル２４とウマプレート２６が接合されている。これにより、ウマプレート２６がアングル２４によって支持されている。ここで、ウマプレート２６とアングル２４は、ウマプレート２６の板厚とアングル２４の長さ（高さ）が変更されたものが予め複数種類用意されており、高さ調整手段としての機能を有している。なお、予め、アングル２４の上面とウマプレート２６の下面を溶接により固定したものを、接合フレーム２２Ａ上に載置してもよい。
【００２１】
ウマプレート２６上には、取付プレート２８が載置されている。図２及び図３に示すように、取付プレート２８は、平板状のプレート部３０の下面から下方側へ、複数のスタッド３２と複数の長ナット３４が突設された構成となっている。複数のスタッド３２と複数の長ナット３４は、プレート部３０の長手方向に沿って、交互に配置されている。長ナット３４には、締結用の孔部３６が形成されている。
【００２２】
スタッド３２の長さは、長ナット３４の長さよりも長くなっており、スタッド３２の底面がウマプレート２６の上面に載置されている。取付プレート２８は、ウマプレート２６及びアングル２４で支持されると共に、プレート部３０が、ウマプレート２６と略平行となるように配置されている。これにより、梁１４Ｂの上面にプレート部３０が露出している。
【００２３】
一方、梁１４Ｂにおける接合フレーム２２Ａからプレート部３０までの間には、梁１４Ｂの架設方向を軸方向として、複数の鉄筋からなる主筋３８が配設されている。また、主筋３８の軸方向と略直角方向に、主筋３８を巻くようにして、鉄筋からなる複数のあばら筋４０が配設されている。そして、コンクリートＣの打設によって、梁１４Ｂが構築されている。
【００２４】
プレート部３０上には、上階の波形鋼板２０Ｂの接合フレーム２２Ｂが載置されている。接合フレーム２２Ｂには、複数の長ナット３４の孔部３６の位置に合わせて、貫通孔４２が形成されている。ここで、ボルト４４が貫通孔４２に挿通され、長ナット３４の孔部３６に締結固定されることにより、取付プレート２８上に接合フレーム２２Ｂが取付けられている。このようにして、接合フレーム２２Ｂ、取付プレート２８、アングル２４及びウマプレート２６により、波形鋼板取付構造が形成されている。
【００２５】
次に、本発明の第１実施形態の作用について説明する。ここでは、梁１４Ｂの施工手順を示すとともに、波形鋼板２０Ｂの取付構造を説明する。
【００２６】
図４（ａ）に示すように、下階の波形鋼板２０Ａは、表面、裏面にそれぞれワイヤー４６、４８の一端が固定され、引っ張られながら他端が下階床や地盤１６等に固定されることにより、傾きが抑えられ、鉛直方向に立設されている。波形鋼板２０Ａの配置後、接合フレーム２２Ａの側面を囲んで型枠５０が配設される。
【００２７】
型枠５０は、４つの板材を立設して接合した中空筒状となっており、接合フレーム２２Ａ上に中空部５２を形成している。また、複数のアングル２４及びウマプレート２６が、中空部５２において、接合フレーム２２Ａ上に間隔をあけて列状に配置される。なお、アングル２４及びウマプレート２６は、位置ずれしないように溶接、接着等により固定される。
【００２８】
続いて、図４（ｂ）に示すように、中空部５２に、主筋３８及びあばら筋４０が配設される。主筋３８は、軸方向の両端部が支持されており（図示せず）、接合フレーム２２Ａと接触しないようになっている。また、主筋３８及びあばら筋４０は、配置時にアングル２４及びウマプレート２６と接触しないように、隙間を空けて組み付けられている。
【００２９】
続いて、図４（ｃ）に示すように、スタッド３２がウマプレート２６上に載置されて、取付プレート２８が中空部５２に配置される。ここで、波形鋼板２０Ａは、鉛直方向の剛性が低いため、接合フレーム２２Ａの設置高さ（レベル）が設計高さよりも低くなる可能性がある。このため、取付プレート２８を直接、接合フレーム２２Ａ上に配置するような構成では、取付プレート２８の高さもずれてしまい、上階の波形鋼板２０Ｂの取付け精度が悪くなる可能性がある。
【００３０】
しかし、本発明では、アングル２４の長さ（高さ）とウマプレート２６の板厚を変更しながら、取付プレート２８のプレート部３０上面の高さが設計高さとなるように、高さ調整が行われる。このため、下階の波形鋼板２０Ａの取付け状態に関わらず、取付プレート２８の上面の高さを設計高さに合わせることができる。なお、プレート部３０の上面の高さの測量は、予め柱１２等に高さが測量された基準点を設け、水準測量によって行っている。
【００３１】
続いて、図５（ｄ）及び図５（ｅ）に示すように、取付プレート２８と型枠５０の隙間からコンクリートＣが打設される。そして、コンクリートＣの硬化後、型枠５０が取外されて、梁１４Ｂが形成される。梁１４Ｂの形成後、通常の現場打ちコンクリート打設によって、又はプレキャスト部材によって上階の柱１２が構築され、架構１８Ｂが形成される。
【００３２】
続いて、図５（ｅ）及び図５（ｆ）に示すように、取付プレート２８上に波形鋼板２０Ｂの接合フレーム２２Ｂが載置され、接合フレーム２２Ｂの貫通孔４２と長ナット３４の孔部３６を連通してボルト４４が締結される。これにより、接合フレーム２２Ｂが取付プレート２８に固定され、波形鋼板２０Ｂが固定される。そして、ワイヤー４６、４８が取外される。このようにして、架構１８Ｂに波形鋼板２０Ｂが取付けられる。
【００３３】
以上説明したように、梁１４Ｂを構築する型枠５０内に設けられたアングル２４及びウマプレート２６によって、波形鋼板２０Ｂが取付けられる前に取付プレート２８の高さを変えてレベル調整ができるので、梁１４Ｂへの波形鋼板２０Ｂの取付け精度が向上する。また、ウマプレート２６の板厚、又はアングル２４の長さ（高さ）を選択することによって取付プレート２８の高さ調整ができるので、高さ調整手段の調整作業が容易となる。
【００３４】
次に、本発明の波形鋼板取付構造の第２実施形態を図面に基づき説明する。なお、前述した第１実施形態と基本的に同一のものには、前記第１実施形態と同一の符号を付与してその説明を省略する。
【００３５】
図６は、下階の波形鋼板２０Ａと上階の波形鋼板２０Ｂの間にある梁６０の断面を示している。梁６０の下端部には、波形鋼板２０Ａの接合フレーム２２Ａが、上面が略水平となるように配置されている。接合フレーム２２Ａ上には、アングル２４が立設されている。アングル２４は、梁６０の長手方向に複数箇所設けられている。アングル２４上には、ウマプレート２６が、接合フレーム２２Ａと略平行となるように架設されている。
【００３６】
ウマプレート２６上には、波形鋼板２０Ｂを取付けるための取付プレート６２が載置されている。ここで、図６及び図７に示すように、取付プレート６２は、平板状のプレート部６４の下面から下方側へ、複数の長ナット６６が突設された構成となっている。長ナット６６には、締結用の孔部６８が形成されている。また、孔部６８には、下方側から高さ調整のための調整ボルト７０がねじ込まれており、調整ボルト７０のねじ込み量を変えることにより、取付プレート６２の高さが調整されている。なお、長ナット６６から下方側へ突出する調整ボルト７０の突出量で高さを管理してもよい。
【００３７】
取付プレート６２は、調整ボルト７０の底面がウマプレート２６の上面に載置されることにより、ウマプレート２６及びアングル２４で支持され、プレート部６４が、ウマプレート２６と略平行となるように配置されている。これにより、梁６０の上面に取付プレート６２のプレート部６４が露出している。
【００３８】
一方、梁６０における接合フレーム２２Ａからプレート部６４までの間には、梁６０の架設方向を軸方向として、複数の主筋３８が配設されている。また、主筋３８の軸方向と略直角方向に、主筋３８を巻くようにして、複数のあばら筋４０が配設されている。そして、コンクリートＣの打設によって、梁６０が構築されている。
【００３９】
プレート部６４上には、上階の波形鋼板２０Ｂの接合フレーム２２Ｂが載置されている。ここで、ボルト４４が接合フレーム２２Ｂの貫通孔４２に挿通され、長ナット６６の孔部６８に締結固定されることにより、取付プレート６２上に接合フレーム２２Ｂが取付けられている。このようにして、接合フレーム２２Ｂ、取付プレート６２、アングル２４及びウマプレート２６により、波形鋼板取付構造が形成されている。
【００４０】
次に、本発明の第２実施形態の作用について説明する。ここでは、梁６０の施工手順を示すとともに、波形鋼板２０Ｂの取付構造を説明する。
【００４１】
図８（ａ）に示すように、下階の波形鋼板２０Ａは、表面、裏面にそれぞれワイヤー４６、４８の一端が固定され、引っ張られながら他端が下階床や地盤１６等に固定されることにより、傾きが抑えられ、鉛直方向に立設されている。波形鋼板２０Ａの配置後、接合フレーム２２Ａの側面を囲んで型枠５０が配設される。
【００４２】
型枠５０によって、接合フレーム２２Ａ上には中空部７２が形成されており、中空部７２における接合フレーム２２Ａ上に、複数のアングル２４及びウマプレート２６が間隔をあけて列状に配置される。なお、アングル２４及びウマプレート２６は、位置ずれしないように溶接、接着等により固定される。
【００４３】
続いて、中空部７２に主筋３８及びあばら筋４０が配設され、調整ボルト７０がウマプレート２６上に載置されて、取付プレート６２が中空部７２に配置される。ここで、水準測量によってプレート部６４の上面の高さが測量され、測量された高さが設計高さとなるように調整ボルト７０のねじ込み量が変えられて高さ調整が行われる。これにより、取付プレート６２の上面の高さを設計高さに合わせることができる。
【００４４】
続いて、図８（ｂ）及び図８（ｃ）に示すように、取付プレート６２と型枠５０の隙間からコンクリートＣが打設される。そして、コンクリートＣの硬化後、型枠５０が取外されて、梁６０が形成される。梁６０の形成後、通常の現場打ちコンクリート打設によって、又はプレキャスト部材によって上階の柱１２が構築され、架構１８Ｂが形成される。
【００４５】
続いて、図８（ｃ）に示すように、取付プレート６２上に接合フレーム２２Ｂが載置され、接合フレーム２２Ｂの貫通孔４２と長ナット６６の孔部６８を連通してボルト４４が締結される。これにより、接合フレーム２２Ｂが取付プレート６２に固定され、波形鋼板２０Ｂが固定される。そして、ワイヤー４６、４８が取外される。このようにして、架構１８Ｂに波形鋼板２０Ｂが取付けられる。
【００４６】
以上説明したように、調整ボルト７０の長ナット６６へのねじ込み量を変えることにより、取付プレート６２の高さが調整され、高さ調整された取付プレート６２に波形鋼板２０Ｂの接合フレーム２２Ｂが取付けられる。このように、調整ボルト７０のねじ込み量を変えることによって取付プレート６２の高さを調整できるので、施工が容易となる。
【００４７】
次に、本発明の波形鋼板取付構造の第３実施形態を図面に基づき説明する。なお、前述した第１実施形態と基本的に同一のものには、前記第１実施形態と同一の符号を付与してその説明を省略する。図９に示すように、架構１８には、波形鋼板８２（８２Ａ、８２Ｂ）が設けられており、下階が波形鋼板８２Ａ、上階が波形鋼板８２Ｂとなっている。波形鋼板８２は、架構１８面内にその折り筋を水平方向に向け、且つ架構１８に作用する水平せん断力には抵抗するが、軸力及び面外方向の曲げに対する抵抗が小さい構成となっている。波形鋼板８２の外周には、断面が平板状の接合フレーム８４（８４Ａ、８４Ｂ）が、溶接により接合されている。接合フレーム８４は、下方へ向けて複数のスタッド８６が突設されている。
【００４８】
下階の波形鋼板８２Ａと上階の波形鋼板８２Ｂの間には、梁８０が形成されている。梁８０は、複数の主筋３８及び複数のあばら筋４０が配設されており、コンクリートＣの打設によって構築されている。また、梁８０には、上面から中央部にかけて取付穴８８が形成されている。取付穴８８は、形成位置、内径、及び深さが、スタッド８６の位置、外径、及び長さに合わせて設計されており、スタッド８６を挿入可能な大きさとなっている。梁８０の下端部には、波形鋼板８２Ａの接合フレーム８４Ａが、上面が略水平となるように配置されている。
【００４９】
梁８０の上面には、接合フレーム８４Ｂの取付け高さを調整するための調整板９０が載置されている。調整板９０には、梁８０の取付穴８８の形成位置及び内径に合わせて、貫通孔９２が形成されている。ここで、スタッド８６は、貫通孔９２に挿通され取付穴８８に挿入されており、貫通孔９２及び取付穴８８に、図示しない充填口からグラウト等の硬化材が充填されて硬化し、調整板９０上に接合フレーム８４Ｂが取付けられている。
【００５０】
このようにして、接合フレーム８４Ｂ、スタッド８６、取付穴８８、及び調整板９０により、波形鋼板取付構造が形成されている。接合フレーム８４Ｂは、調整板９０によって支持されているため、調整板９０の上面が、接合フレーム８４Ｂの支持面９４となる。なお、接合フレーム８４Ｂ、調整板９０、及び梁８０は、ボルト及びナット等を用いて締結し、固定強化してもよい。
【００５１】
次に、本発明の第３実施形態の作用について説明する。ここでは、梁８０の施工手順を示すとともに、波形鋼板８２Ｂの取付構造を説明する。
【００５２】
図１０（ａ）に示すように、下階の波形鋼板８２Ａは、表面、裏面にそれぞれワイヤー４６、４８の一端が固定され、引っ張られながら他端が下階床や地盤１６等に固定されることにより、傾きが抑えられ、鉛直方向に立設されている。
【００５３】
波形鋼板８２Ａの配置後、接合フレーム８４Ａの側面を囲んで型枠５０が配設される。型枠５０によって、接合フレーム８４Ａ上に中空部９６が形成され、中空部９６に主筋３８及びあばら筋４０が配設される。主筋３８は、軸方向の両端部が支持されており（図示せず）、接合フレーム８４Ａと接触しないようになっている。
【００５４】
続いて、図１０（ｂ）に示すように、中空部９６に型部材９８が配置される。型部材９８は、型枠５０の上面に載置される平板１０２と、平板１０２の下面に突設された複数の凸部１０４で構成されている。凸部１０４の形成位置及び大きさは、取付穴８８（図９参照）の形成位置及び大きさと同一である。続いて、図１０（ｃ）に示すように、型枠５０内にコンクリートＣが打設される。
【００５５】
続いて、図１１（ｄ）及び図１１（ｅ）に示すように、コンクリートＣの硬化後、型枠５０及び型部材９８が取外されて、梁８０が形成される。梁８０の形成後、通常の現場打ちコンクリート打設によって、又はプレキャスト部材によって上階の柱１２が構築され、架構１８Ｂが形成される。梁８０には、型部材９８によって取付穴８８が形成されている。続いて、梁８０の上面には、調整板９０が載置される。ここで、調整板９０の支持面９４（図９参照）の高さを前述の水準測量によって測量し、調整板９０の板厚を変更しながら、支持面９４の高さが設計高さとなるように高さ調整が行われる。
【００５６】
続いて、図１１（ｅ）及び図１１（ｆ）に示すように、梁８０の取付穴８８に波形鋼板８２Ｂのスタッド８６が挿入されると共に、調整板９０の支持面９４上に接合フレーム８４Ｂが載置される。そして、図示しない充填穴から取付穴８８にグラウトＧが充填され、硬化される。これにより、接合フレーム８４Ｂが調整板９０上に固定され、波形鋼板８２Ｂが固定される。そして、ワイヤー４６、４８が取外される。このようにして、架構１８Ｂに波形鋼板８２Ｂが取付けられる。
【００５７】
以上説明したように、波形鋼板８２Ｂの接合フレーム８４Ｂから突設されたスタッド８６が、梁８０に形成された取付穴８８に挿入される。そして、接合フレーム８４Ｂと梁８０の上面との間に設けられた調整板９０によって、接合フレーム８４Ｂを支持する支持面９４の高さが調整される。これにより、波形鋼板８２Ｂが取付けられる前に支持面９４のレベル調整ができるので、梁８０への波形鋼板８２Ｂの取付け精度が向上する。
【００５８】
次に、本発明の波形鋼板取付構造の第４実施形態を図面に基づき説明する。なお、前述した第１実施形態と基本的に同一のものには、前記第１実施形態と同一の符号を付与してその説明を省略する。図１２に示すように、架構１８には、波形鋼板８２が設けられており、下階が波形鋼板８２Ａ、上階が波形鋼板８２Ｂとなっている。波形鋼板８２の外周には、接合フレーム８４（８４Ａ、８４Ｂ）が接合されている。接合フレーム８４は、下方へ向けて複数のスタッド８６が突設されている。
【００５９】
下階の波形鋼板８２Ａと上階の波形鋼板８２Ｂの間には、梁１１０が形成されている。梁１１０は、複数の主筋３８及び複数のあばら筋４０が配設されており、コンクリートＣの打設によって構築されている。また、梁１１０には、上面から中央部にかけて取付穴１１２が形成されている。取付穴１１２は、形成位置、内径、及び深さが、スタッド８６の位置、外径、及び長さに合わせて設計されており、スタッド８６を挿入可能な大きさとなっている。梁１１０の下端部には、波形鋼板８２Ａの接合フレーム８４Ａが、上面が略水平となるように配置されている。
【００６０】
取付穴１１２の底面には、接合フレーム８４Ｂの取付け高さを調整するための板状のスペーサ１１４が配置されている。スペーサ１１４上には、スタッド８６が載置されており、スタッド８６は、スペーサ１１４で支持されている。取付穴１１２には、図示しない充填口からグラウト等の硬化材が充填されて硬化しており、梁１１０上に接合フレーム８４Ｂが取付けられている。スペーサ１１４は、セメント製、プラスチック製など、材質にはとらわれず、高さを容易に調整できるものであれば、構わない。
【００６１】
このようにして、接合フレーム８４Ｂ、スタッド８６、取付穴１１２、及びスペーサ１１４により、波形鋼板取付構造が形成されている。なお、接合フレーム８４Ｂと梁１１０は、ボルト及びナット等を用いた締結手段で固定を強化してもよい。
【００６２】
次に、本発明の第４実施形態の作用について説明する。ここでは、梁１１０の施工手順を示すとともに、波形鋼板８２Ｂの取付構造を説明する。
【００６３】
図１３（ａ）に示すように、下階の波形鋼板８２Ａは、表面、裏面にそれぞれワイヤー４６、４８の一端が固定され、引っ張られながら他端が下階床や地盤１６等に固定されることにより、傾きが抑えられ、鉛直方向に立設されている。
【００６４】
波形鋼板８２Ａの配置後、接合フレーム８４Ａの側面を囲んで型枠５０が配設される。型枠５０によって、接合フレーム８４Ａ上に中空部９６が形成され、中空部９６に主筋３８及びあばら筋４０が配設される。主筋３８は、軸方向の両端部が支持されており（図示せず）、接合フレーム８４Ａと接触しないようになっている。
【００６５】
続いて、図１３（ｂ）に示すように、中空部９６に型部材１１６が配置される。型部材１１６は、型枠５０の上面に載置される平板１１８と、平板１１８の下面に突設された複数の凸部１２０で構成されている。凸部１２０の形成位置及び大きさは、取付穴１１２（図１２参照）の形成位置及び大きさと同一である。続いて、図１３（ｃ）に示すように、型枠５０内にコンクリートＣが打設される。
【００６６】
続いて、図１４（ｄ）に示すように、コンクリートＣの硬化後、型枠５０及び型部材１１６が取外されて、梁１１０が形成される。梁１１０の形成後、通常の現場打ちコンクリート打設によって、又はプレキャスト部材によって上階の柱１２が構築され、架構１８Ｂが形成される。梁１１０には、型部材１１６によって取付穴１１２が形成されている。続いて、取付穴１１２の底面には、スペーサ１１４が載置される。
【００６７】
続いて、図１４（ｅ）に示すように、梁１１０の取付穴１１２に波形鋼板８２Ｂのスタッド８６が挿入されると共に、スペーサ１１４上にスタッド８６が載置され、梁１１０上に接合フレーム８４Ｂが載置される。ここで、接合フレーム８４Ｂの上面の高さを前述の水準測量によって測量し、スペーサ１１４の板厚を変更しながら、接合フレーム８４Ｂ上面の高さが設計高さとなるように高さ調整が行われる。
【００６８】
続いて、図１４（ｆ）に示すように、図示しない充填穴から取付穴１１２にグラウトＧが充填される。このとき、図示しない型枠が、梁１１０及び接合フレーム８４Ｂの側面を覆うように取付けられ、梁１１０と接合フレーム８４Ｂの隙間にもグラウトＧが充填される。グラウトＧの硬化により、接合フレーム８４Ｂが梁１１０上に固定され、波形鋼板８２Ｂが固定される。そして、ワイヤー４６、４８が取外される。このようにして、架構１８Ｂに波形鋼板８２Ｂが取付けられる。
【００６９】
以上説明したように、梁１１０に形成された取付穴１１２の底面にスペーサ１１４が配置され、波形鋼板８２Ｂの接合フレーム８４Ｂから突設されたスタッド８６が、スペーサ１１４によって支持される。ここで、スペーサ１１４の厚さを変えることによって、波形鋼板８２Ｂが取付けられる前に接合フレーム８４Ｂのレベル調整ができるので、梁１１０への波形鋼板８２Ｂの取付け精度が向上する。
【００７０】
なお、本発明は、上記実施形態に限定されない。アングル２４とウマプレート２６の代わりに、直方体状の支持部材を配置して、該支持部材の厚さ（長さ）を変更して高さ調整してもよい。架構に取付けられた波形鋼板の上側の接合プレートは、ボルト等で締結固定したり接着固定してもよい。波形鋼板を取付ける架構は、柱スラブ構面や、スラブ又は小梁であってもよい。水平部材は、大梁、小梁、スラブであってもよい。
【００７１】
請求項４の発明については、梁成又は高さ調整手段の大きさによっては、アングルやウマプレートなどを省略して、ボルトを下梁底に直接取付けても良い。また、上下階とも波形鋼板を架構に取付ける場合で説明したが、下階の架構に取付けられるものが波形鋼板ではない場合、すなわちＲＣ耐震壁の場合や、壁等が取付かない梁の場合でも同様に本願発明に示す取付構造を適用できる。周辺架構は、現場打ちコンクリート製のみならず、プレキャスト部材でもよい。
【００７２】
波形鋼板は、コンクリート打設と同時に取付ける場合で説明したが、本願発明に示す取付構造を架構構築時に施しておけば、波形鋼板耐震壁自体の施工時期は、後施工でも構わない。また、波形鋼板の下部のみならず、上部に本願発明に示す取付構造を設置しても構わない。これにより、上記の波形鋼板の後施工にも資する。さらに、周辺架構の構造形式は、ＲＣ造の場合に限定されず、ＳＲＣ造の場合でも構わない。加えて、調整板は、金属製の板状部材のみならず、均しモルタル・グラウトによって高さ調整された部分を含む概念である。
【００７３】
また、柱への波形鋼板の取付けは任意である。柱取合い部にスタッドを設けたり、柱にナットを埋め込んでボルトで接合するなど、水平力伝達要素を設けて、柱へ波形鋼板を取付けてもよい。また、柱とは接合せずに柱との間にスリットを設けて、柱へ波形鋼板を取付けなくてもよい。
【図面の簡単な説明】
【００７４】
【図１】本発明の第１実施形態に係る建物の立面図及び断面図である。
【図２】本発明の第１実施形態に係る波形鋼板の取付部の断面図である。
【図３】本発明の第１実施形態に係る波形鋼板の取付け状態を示す斜視図である。
【図４】本発明の第１実施形態に係る波形鋼板の梁への取付け手順を示す工程図（前半）である。
【図５】本発明の第１実施形態に係る波形鋼板の梁への取付け手順を示す工程図（後半）である。
【図６】本発明の第２実施形態に係る波形鋼板の取付部の断面図である。
【図７】本発明の第２実施形態に係る取付プレートの斜視図である。
【図８】本発明の第２実施形態に係る波形鋼板の梁への取付け手順を示す工程図である。
【図９】本発明の第３実施形態に係る波形鋼板の取付部の断面図である。
【図１０】本発明の第３実施形態に係る波形鋼板の梁への取付け手順を示す工程図（前半）である。
【図１１】本発明の第３実施形態に係る波形鋼板の梁への取付け手順を示す工程図（後半）である。
【図１２】本発明の第４実施形態に係る波形鋼板の取付部の断面図である。
【図１３】本発明の第４実施形態に係る波形鋼板の梁への取付け手順を示す工程図（前半）である。
【図１４】本発明の第４実施形態に係る波形鋼板の梁への取付け手順を示す工程図（後半）
【符号の説明】
【００７５】
１０  建物
１４Ｂ  梁（水平部材、周辺部材）
１８Ａ  架構（架構）
１８Ｂ  架構（架構）
２０Ａ  波形鋼板（波形鋼板）
２０Ｂ  波形鋼板（波形鋼板）
２２Ａ  接合フレーム（接合枠）
２２Ｂ  接合フレーム（接合枠、波形鋼板取付構造）
２４  アングル（高さ調整手段、支持部材、縦部材、波形鋼板取付構造）
２６  ウマプレート（高さ調整手段、支持部材、横部材、波形鋼板取付構造）
２８  取付プレート（取付部、波形鋼板取付構造）
５０  型枠（型枠）
６０  梁（水平部材、周辺部材）
６２  取付プレート（取付部、波形鋼板取付構造）
６６  長ナット（高さ調整手段、長ナット）
７０  調整ボルト（高さ調整手段、ボルト）
８０  梁（水平部材、周辺部材）
８４Ｂ  接合フレーム（接合枠、波形鋼板取付構造）
８６  スタッド（スタッド、波形鋼板取付構造）
８８  取付穴（取付穴、波形鋼板取付構造）
９０  調整板（高さ調整材、波形鋼板取付構造）
９４  支持面（支持面）
１１０  梁（水平部材、周辺部材）
１１２  取付穴（取付穴、波形鋼板取付構造）
１１４  スペーサ（スペーサ、波形鋼板取付構造）
【図１】
2009108499.tif 000003
【図２】
2009108499.tif 000004
【図３】
2009108499.tif 000005
【図４】
2009108499.tif 000006
【図５】
2009108499.tif 000007
【図６】
2009108499.tif 000008
【図７】
2009108499.tif 000009
【図８】
2009108499.tif 000010
【図９】
2009108499.tif 000011
【図１０】
2009108499.tif 000012
【図１１】
2009108499.tif 000013
【図１２】
2009108499.tif 000014
【図１３】
2009108499.tif 000015
【図１４】
2009108499.tif 000016